(57)【要約】      （修正有）【課題】コンパクト化を図った製紙用スクリーン装置を提供する。【解決手段】製紙用スクリーン装置Ｓは、製紙原料をスクリーンの内側から外側に向かわせて精選する製紙用スクリーン装置Ｓにあって、槽１０内を区画する第１〜第Ｎのスクリ−ン１１〜１Ｎの内側を第１の室１０Ａとして、該第１の室１０Ａを共通化し、１個の槽１０に第１〜第Ｎの精選室をそれぞれ設けている。【選択図】図６
2013087397.tif 000002
【特許請求の範囲】
【請求項１】
製紙原料をスクリーンの内側から外側に向かわせて精選する製紙用スクリーン装置であって、
前記製紙原料を受け入れると共に、前記製紙原料の入口部、Ｎ（Ｎ≧２）個の精選出口部、異物出口部を有した１個の槽と、
この槽内であって、略水平方向に回転自在に支持された１個の回転軸と、
前記槽内であって、前記回転軸の外側に位置すると共に、前記回転軸の長手方向に沿って間隔をおいて直列に配置されたＮ（Ｎ≧２）個の円筒形状のスクリ−ンと、
前記回転軸に取り付けられると共に、前記Ｎ（Ｎ≧２）個の円筒形状のスクリ−ンの内側に近接して設けられ、前記製紙原料を攪拌するＮ（Ｎ≧２）個の攪拌部材とを備え、    前記円筒形状のスクリ−ンの両端開口部の中心と前記回転軸の軸方向の中心とが一致し、
前記Ｎ（Ｎ≧２）個の攪拌部材は、前記回転軸の一端から他端に向かって、順次、配置された第１〜第Ｎ（Ｎ≧２）の攪拌部材であり、
前記Ｎ（Ｎ≧２）個の円筒形状のスクリ−ンは、前記回転軸の一端から他端に向かって、順次、配置された第１〜第Ｎ（Ｎ≧２）のスクリ−ンであり、
前記第１〜第Ｎの攪拌部材にそれぞれ対向するように、順次、前記第１〜第Ｎのスクリ−ンが配置され、
前記槽内を区画する前記第１〜第Ｎのスクリ−ンの内側は、第１の室であり、
前記槽内であって、前記第１〜第Ｎのスクリ−ンの外側にそれぞれ区画され、前記回転軸の一端から他端に向かって、順次、配置された第１〜第Ｎの精選室であり、
前記製紙原料の入口部、前記異物出口部を前記一次室に、前記第１〜第Ｎの精選出口部を前記第１〜第Ｎの精選室に、それぞれ臨ませている
ことを特徴とする製紙用スクリーン装置。
【請求項２】
槽は水平方向に長いものであり、
前記槽の一方の側に第１の製紙原料の入口部が、前記槽の一方の側と反対側の他方の側に第２の製紙原料の入口部が、それぞれ設けられ、
第１〜第Ｎ（Ｎ≧２）の攪拌部材は、回転軸に取り付けられ、外周に突起を設けたものであり、
前記第１〜第Ｎ（Ｎ≧２）の攪拌部材の内、隣接する攪拌部材の間の部位は、中間部であり、該中間部は、前記突起が設けられず、
平面視、前記第１の製紙原料の入口部と前記第２の製紙原料の入口部との間にＮ（Ｎ≧２）個の円筒形状のスクリ−ンが位置し、
前記中間部に位置する一次室に異物出口部が設けられている
ことを特徴とする請求項１記載の製紙用スクリーン装置。
【請求項３】
槽は水平方向に長いものであり、
前記槽の一方の側に第１の製紙原料の入口部が、前記槽の一方の側と反対側の他方の側に第２の製紙原料の入口部が、それぞれ設けられ、
第１〜第Ｎ（Ｎ≧２）の攪拌部材は、回転軸に取り付けられ、外周に突起を設けたものであり、
前記第１〜第Ｎ（Ｎ≧２）の攪拌部材の内、隣接する攪拌部材の間の部位は、中間部であり、該中間部は、前記突起が設けられず、
平面視、前記第１の製紙原料の入口部と前記第２の製紙原料の入口部との間にＮ（Ｎ≧２）個の円筒形状のスクリ−ンが位置し、
平面視、前記第１の製紙原料の入口部と前記第２の製紙原料の入口部との略中間に第３の製紙原料の入口部が位置し、
この第３の製紙原料の入口部は一次室に臨むように設けられ、
平面視、前記第１の製紙原料の入口部と前記第３の製紙原料の入口部との略中間に第１の異物出口部が、前記第３の製紙原料の入口部と前記第２の製紙原料の入口部との略中間に第２の異物出口部が、それぞれ位置し、
前記第１の異物出口部及び前記第２の異物出口部が前記一次室に臨むように設けられている
ことを特徴とする請求項１記載の製紙用スクリーン装置。
【請求項４】
槽は水平方向に長いものであり、
攪拌部材は、少なくとも、第１〜第４の攪拌部材の４個であり、
前記槽の一方の側に第１の製紙原料の入口部が、前記槽の一方の側と反対側の他方の側に第２の製紙原料の入口部が、それぞれ設けられ、
前記第１〜第４の攪拌部材は、回転軸に取り付けられ、外周に突起を設けたものであり、
前記第１〜第４の攪拌部材の内、隣接する攪拌部材の間の部位は、中間部であり、該中間部は、前記突起が設けられず、
平面視、前記第１の製紙原料の入口部と前記第２の製紙原料の入口部との間に４個の円筒形状のスクリ−ンが位置し、
平面視、前記第１の製紙原料の入口部と前記第２の製紙原料の入口部との略中間に第３の製紙原料の入口部が位置し、
前記第３の製紙原料の入口部は一次室に臨むように設けられ、
平面視、前記第１の製紙原料の入口部と前記第３の製紙原料の入口部との略中間に第１の異物出口部が、前記第３の製紙原料の入口部と前記第２の製紙原料の入口部との略中間に第２の異物出口部が、それぞれ位置し、
前記第１の異物出口部及び前記第２の異物出口部が前記一次室に臨むように設けられ、
前記第１〜第４の攪拌部材の内、隣接する攪拌部材の間の回転軸の部位は、中間部であり、該中間部は、前記突起が設けられず、
前記第１の攪拌部材と前記第２の攪拌部材との間の前記回転軸の部位は、第１の中間部であり、該第１の中間部は、前記突起が設けられず、
前記第２の攪拌部材と前記第３の攪拌部材との間の回転軸の部位は、第２の中間部であり、該第２の中間部は、前記突起が設けられず、
前記第３の攪拌部材と前記第４の攪拌部材との間の回転軸の部位は、第３の中間部であり、該第３の中間部は、前記突起が設けられず、
前記第１の中間部に位置する一次室に前記第１の異物出口部が、前記第２の中間部に位置する前記一次室に前記第３の製紙原料の入口部が、前記第３の中間部に位置する前記一次室に前記第２の異物出口部が、それぞれ設けられている
ことを特徴とする請求項１記載の製紙用スクリーン装置。
【請求項５】
槽は水平方向に長いものであり、
前記槽の一方の側に製紙原料の入口部が、前記槽の一方の側と反対側の他方の側に異物出口部が、それぞれ設けられ、
第１〜第Ｎのスクリ−ンに第１〜第Ｎの精選室がそれぞれ対応して設けられ、
第１〜第Ｎ（Ｎ≧２）の攪拌部材は、回転軸に取り付けられ、外周に突起を設けたものであり、
第１〜第Ｎ（Ｎ≧２）の攪拌部材の内、隣接する攪拌部材の間の回転軸の部位は、中間部であり、該中間部は、攪拌部材が設けられていない
ことを特徴とする請求項１記載の製紙用スクリーン装置。
【請求項６】
第１〜第Ｎ（Ｎ≧２）の攪拌部材の内、隣接する攪拌部材の間の回転軸の部位は、中間部であり、該中間部は攪拌部材が設けられず、
一次室の前記中間部に製紙原料の流れをコントロールする流量調整部が設けられている
ことを特徴とする請求項１記載の製紙用スクリーン装置。
【請求項７】
完成された装置は、Ｎ≧３である請求項１記載の製紙用スクリーン装置であって、
完成前にあっては、攪拌部材及びスクリーンは、少なくとも２個設置され、Ｎ−２個の攪拌部材及びＮ−２個のスクリ−ンは、非設置であり、
回転軸は、Ｎ−２個の攪拌部材を取り付ける大きさを有し、
槽は、Ｎ−２個のスクリ−ンを取り付ける大きさを有している
ことを特徴とする請求項１記載の製紙用スクリーン装置。
【発明の詳細な説明】
【技術分野】
【０００１】
本発明は、製紙用スクリーン装置に係り、特に、製紙原料をスクリーンの内側から外側に向かわせて精選する製紙用スクリーン装置のコンパクト化を図ったものに関する。
【背景技術】
【０００２】
従来、パルプ工場のスクリーニングプラントにおいては、製紙用スクリーン装置が複数、例えば、特許文献１にあっては、個別の製紙用スクリーン装置が５台設けられている。  
【先行技術文献】
【特許文献】
【０００３】
【特許文献１】特公平８−６２７３号公報
【発明の概要】
【発明が解決しようとする課題】
【０００４】
このようなパルプ工場のスクリーニングプラントにおいて、製紙原料をスクリーンの内側から外側に向かわせて精選するアウトワード式の製紙用スクリーン装置を採用した場合、アウトワード式の個別の製紙用スクリーン装置が５台必要であると共に、個別の製紙用スクリーン装置毎に、配管、ポンプ等を別途設けなければならないという問題点が生じた。
【０００５】
本発明は、上記の問題点を考慮してなされたもので、コンパクト化を図ったアウトワード式の製紙用スクリーン装置を提供することを目的とする。
【課題を解決するための手段】
【０００６】
請求項１記載の製紙用スクリーン装置は、製紙原料をスクリーンの内側から外側に向かわせて精選する製紙用スクリーン装置であって、前記製紙原料を受け入れると共に、前記製紙原料の入口部、Ｎ（Ｎ≧２）個の精選出口部、異物出口部を有した１個の槽と、この槽内であって、略水平方向に回転自在に支持された１個の回転軸と、前記槽内であって、前記回転軸の外側に位置すると共に、前記回転軸の長手方向に沿って間隔をおいて直列に配置されたＮ（Ｎ≧２）個の円筒形状のスクリ−ンと、前記回転軸に取り付けられると共に、前記Ｎ（Ｎ≧２）個の円筒形状のスクリ−ンの内側に近接して設けられ、前記製紙原料を攪拌するＮ（Ｎ≧２）個の攪拌部材とを備え、    前記円筒形状のスクリ−ンの両端開口部の中心と前記回転軸の軸方向の中心とが一致し、前記Ｎ（Ｎ≧２）個の攪拌部材は、前記回転軸の一端から他端に向かって、順次、配置された第１〜第Ｎ（Ｎ≧２）の攪拌部材であり、前記Ｎ（Ｎ≧２）個の円筒形状のスクリ−ンは、前記回転軸の一端から他端に向かって、順次、配置された第１〜第Ｎ（Ｎ≧２）のスクリ−ンであり、前記第１〜第Ｎの攪拌部材にそれぞれ対向するように、順次、前記第１〜第Ｎのスクリ−ンが配置され、前記槽内を区画する前記第１〜第Ｎのスクリ−ンの内側は、第１の室であり、前記槽内であって、前記第１〜第Ｎのスクリ−ンの外側にそれぞれ区画され、前記回転軸の一端から他端に向かって、順次、配置された第１〜第Ｎの精選室であり、前記製紙原料の入口部、前記異物出口部を前記一次室に、前記第１〜第Ｎの精選出口部を前記第１〜第Ｎの精選室に、それぞれ臨ませているものである。
【０００７】
また、請求項２記載の製紙用スクリーン装置は、請求項１記載の製紙用スクリーン装置において、槽は水平方向に長いものであり、前記槽の一方の側に第１の製紙原料の入口部が、前記槽の一方の側と反対側の他方の側に第２の製紙原料の入口部が、それぞれ設けられ、第１〜第Ｎ（Ｎ≧２）の攪拌部材は、回転軸に取り付けられ、外周に突起を設けたものであり、前記第１〜第Ｎ（Ｎ≧２）の攪拌部材の内、隣接する攪拌部材の間の部位は、中間部であり、該中間部は、前記突起が設けられず、平面視、前記第１の製紙原料の入口部と前記第２の製紙原料の入口部との間にＮ（Ｎ≧２）個の円筒形状のスクリ−ンが位置し、前記中間部に位置する一次室に異物出口部が設けられているものである。
【０００８】
また、請求項３記載の製紙用スクリーン装置は、請求項１記載の製紙用スクリーン装置において、槽は水平方向に長いものであり、前記槽の一方の側に第１の製紙原料の入口部が、前記槽の一方の側と反対側の他方の側に第２の製紙原料の入口部が、それぞれ設けられ、第１〜第Ｎ（Ｎ≧２）の攪拌部材は、回転軸に取り付けられ、外周に突起を設けたものであり、前記第１〜第Ｎ（Ｎ≧２）の攪拌部材の内、隣接する攪拌部材の間の部位は、中間部であり、該中間部は、前記突起が設けられず、平面視、前記第１の製紙原料の入口部と前記第２の製紙原料の入口部との間にＮ（Ｎ≧２）個の円筒形状のスクリ−ンが位置し、平面視、前記第１の製紙原料の入口部と前記第２の製紙原料の入口部との略中間に第３の製紙原料の入口部が位置し、この第３の製紙原料の入口部は一次室に臨むように設けられ、平面視、前記第１の製紙原料の入口部と前記第３の製紙原料の入口部との略中間に第１の異物出口部が、前記第３の製紙原料の入口部と前記第２の製紙原料の入口部との略中間に第２の異物出口部が、それぞれ位置し、前記第１の異物出口部及び前記第２の異物出口部が前記一次室に臨むように設けられているものである。
【０００９】
また、請求項４記載の製紙用スクリーン装置は、請求項１記載の製紙用スクリーン装置において、槽は水平方向に長いものであり、攪拌部材は、少なくとも、第１〜第４の攪拌部材の４個であり、前記槽の一方の側に第１の製紙原料の入口部が、前記槽の一方の側と反対側の他方の側に第２の製紙原料の入口部が、それぞれ設けられ、前記第１〜第４の攪拌部材は、回転軸に取り付けられ、外周に突起を設けたものであり、前記第１〜第４の攪拌部材の内、隣接する攪拌部材の間の部位は、中間部であり、該中間部は、前記突起が設けられず、平面視、前記第１の製紙原料の入口部と前記第２の製紙原料の入口部との間に４個の円筒形状のスクリ−ンが位置し、平面視、前記第１の製紙原料の入口部と前記第２の製紙原料の入口部との略中間に第３の製紙原料の入口部が位置し、前記第３の製紙原料の入口部は一次室に臨むように設けられ、平面視、前記第１の製紙原料の入口部と前記第３の製紙原料の入口部との略中間に第１の異物出口部が、前記第３の製紙原料の入口部と前記第２の製紙原料の入口部との略中間に第２の異物出口部が、それぞれ位置し、前記第１の異物出口部及び前記第２の異物出口部が前記一次室に臨むように設けられ、前記第１〜第４の攪拌部材の内、隣接する攪拌部材の間の回転軸の部位は、中間部であり、該中間部は、前記突起が設けられず、前記第１の攪拌部材と前記第２の攪拌部材との間の前記回転軸の部位は、第１の中間部であり、該第１の中間部は、前記突起が設けられず、前記第２の攪拌部材と前記第３の攪拌部材との間の回転軸の部位は、第２の中間部であり、該第２の中間部は、前記突起が設けられず、前記第３の攪拌部材と前記第４の攪拌部材との間の回転軸の部位は、第３の中間部であり、該第３の中間部は、前記突起が設けられず、前記第１の中間部に位置する一次室に前記第１の異物出口部が、前記第２の中間部に位置する前記一次室に前記第３の製紙原料の入口部が、前記第３の中間部に位置する前記一次室に前記第２の異物出口部が、それぞれ設けられているものである。
【００１０】
また、請求項５記載の製紙用スクリーン装置は、請求項１記載の製紙用スクリーン装置において、槽は水平方向に長いものであり、前記槽の一方の側に製紙原料の入口部が、前記槽の一方の側と反対側の他方の側に異物出口部が、それぞれ設けられ、第１〜第Ｎのスクリ−ンに第１〜第Ｎの精選室がそれぞれ対応して設けられ、第１〜第Ｎ（Ｎ≧２）の攪拌部材は、回転軸に取り付けられ、外周に突起を設けたものであり、第１〜第Ｎ（Ｎ≧２）の攪拌部材の内、隣接する攪拌部材の間の回転軸の部位は、中間部であり、該中間部は、攪拌部材が設けられていないものである。
【００１１】
また、請求項６記載の製紙用スクリーン装置は、請求項１記載の製紙用スクリーン装置において、第１〜第Ｎ（Ｎ≧２）の攪拌部材の内、隣接する攪拌部材の間の回転軸の部位は、中間部であり、該中間部は攪拌部材が設けられず、一次室の前記中間部に製紙原料の流れをコントロールする流量調整部が設けられているものである。
【００１２】
また、請求項７記載の製紙用スクリーン装置は、請求項１記載の製紙用スクリーン装置において、 完成された装置は、Ｎ≧３である請求項１記載の製紙用スクリーン装置であって、完成前にあっては、攪拌部材及びスクリーンは、少なくとも２個設置され、Ｎ−２個の攪拌部材及びＮ−２個のスクリ−ンは、非設置であり、回転軸は、Ｎ−２個の攪拌部材を取り付ける大きさを有し、槽は、Ｎ−２個のスクリ−ンを取り付ける大きさを有しているものである。
【発明の効果】
【００１３】
請求項１記載の製紙用スクリーン装置によれば、製紙原料をスクリーンの内側から外側に向かわせて精選する製紙用スクリーン装置にあって、槽内を区画する第１〜第Ｎのスクリ−ンの内側を第１の室として、該第１の室を共通化し、１個の槽に第１〜第Ｎの精選室をそれぞれ設けているため、従来のように、製紙原料をスクリーンの内側から外側に向かわせて精選する製紙用スクリーン装置にあって、精選室を製紙用スクリーン装置毎に個別的に設けていたものに比べ、設置スペースを小さくすることができ、しかも、個別毎に設けていた配管、配管毎に設けていたポンプ等を不要とすることができる等の効果を有する。
【００１４】
また、請求項２記載の製紙用スクリーン装置によれば、上述した請求項１記載の発明の効果に加え、平面視、第１の製紙原料の入口部と第２の製紙原料の入口部との間にＮ（Ｎ≧２）個の円筒形状のスクリ−ンが位置しているため、Ｎ（Ｎ≧２）個の円筒形状のスクリ−ンに製紙原料を片寄らず供給することができる。
【００１５】
また、請求項３記載の製紙用スクリーン装置によれば、上述した請求項１記載の発明の効果に加え、平面視、第１の製紙原料の入口部と第２の製紙原料の入口部との間にＮ（Ｎ≧２）個の円筒形状のスクリ−ンが位置し、平面視、前記第１の製紙原料の入口部と前記第２の製紙原料の入口部との略中間に第３の製紙原料の入口部が位置し、前記第３の製紙原料の入口部は一次室に臨むように設けられているため、水平方向に長い槽にあって、Ｎ（Ｎ≧２）個の円筒形状のスクリ−ンに製紙原料を片寄らず供給することができ、また、平面視、前記第１の製紙原料の入口部と前記第３の製紙原料の入口部との略中間に第１の異物出口部が、前記第３の製紙原料の入口部と前記第２の製紙原料の入口部との略中間に第２の異物出口部が、それぞれ位置し、前記第１の異物出口部及び前記第２の異物出口部が前記一次室に臨むように設けられているため、槽内の異物を片寄らず排出することができる。
【００１６】
また、請求項４記載の製紙用スクリーン装置によれば、上述した請求項１記載の発明の効果に加え、平面視、第１の製紙原料の入口部と第２の製紙原料の入口部との間に４個の円筒形状のスクリ−ンが位置し、平面視、前記第１の製紙原料の入口部と前記第２の製紙原料の入口部との略中間に第３の製紙原料の入口部が位置し、第３の製紙原料の入口部は一次室に臨むように設けられているため、水平方向に長い槽にあって、４個の円筒形状のスクリ−ンに製紙原料を片寄らず供給することができ、また、平面視、前記第１の製紙原料の入口部と前記第３の製紙原料の入口部との略中間に第１の異物出口部が、前記第３の製紙原料の入口部と前記第２の製紙原料の入口部との略中間に第２の異物出口部が、それぞれ位置し、前記第１の異物出口部及び前記第２の異物出口部が前記一次室に臨むように設けられているため、槽内の異物を片寄らず排出することができる。
【００１７】
また、請求項６記載の製紙用スクリーン装置によれば、上述した請求項１記載の発明の効果に加え、第１〜第Ｎ（Ｎ≧２）の攪拌部材の内、隣接する攪拌部材の間の回転軸の部位は、中間部であり、該中間部は攪拌部材が設けられず、一次室の前記中間部に製紙原料の流れをコントロールする流量調整部が設けられているため、製紙原料の量をコントロールして第１〜第Ｎのスクリ−ンに供給することができる。
【００１８】
また、請求項７記載の製紙用スクリーン装置によれば、上述した請求項１記載の発明の効果に加え、完成前にあっては、攪拌部材及びスクリーンは、少なくとも２個設置され、Ｎ−２個の攪拌部材及びＮ−２個のスクリ−ンは、非設置であり、回転軸は、Ｎ−２個の攪拌部材を取り付ける大きさを有し、槽は、Ｎ−２個のスクリ−ンを取り付ける大きさを有しているため、将来増産が生じた場合に、回転軸にＮ−２個の攪拌部材を、槽にＮ−２個のスクリ−ンをそれぞれ取り付けて迅速に対応することができる。
【図面の簡単な説明】
【００１９】
【図１】図１は、本発明の一実施例の製紙用スクリーン装置の概略的斜視図である。
【図２】図２は、図１の製紙用スクリーン装置を板紙（ボール紙）抄紙機用に適用した場合の概略的図である。
【図３】図３は、図２の製紙用スクリーン装置の一部を断面して拡大して示す概略的一部拡大断面図である。
【図４】図４は、図２の製紙用スクリーン装置と異なる他の実施例の製紙用スクリーン装置の概略的断面図である。
【図５】図５は、図４の製紙用スクリーン装置と異なる他の実施例の製紙用スクリーン装置の概略的断面図である。
【図６】図６は、図５の製紙用スクリーン装置と異なる他の実施例の製紙用スクリーン装置の概略的断面図である。
【図７】図７は、図６の７−７線による概略的断面図である。
【図８】図８は、図６の製紙用スクリーン装置と異なる他の実施例の製紙用スクリーン装置の概略的断面図である。
【図９】図９は、図８の槽を開放し、スクリ−ンを分解して示す概略的断面図である。
【図１０】図１０は、図９の槽内に残ったスクリ−ンを槽外へ取り出した状態を示す概略的断面図である。
【図１１】図１１は、図８の製紙用スクリーン装置と異なる他の実施例の製紙用スクリーン装置の概略的断面図である。
【図１２】図１２は、図１１の槽を開放し、スクリ−ンを分解して示す概略的断面図である。
【図１３】図１３は、図１２の槽内に残ったスクリ−ンを槽外へ取り出した状態を示す概略的断面図である。
【図１４】図１４は、図１１の製紙用スクリーン装置と異なる他の実施例の製紙用スクリーン装置の概略的断面図である。
【発明を実施するための形態】
【００２０】
本発明の一実施例の製紙用スクリーン装置を図面を参照して説明する。
図１乃至図３に示すＳは、製紙原料をスクリーン１の内側から外側に向かわせて精選するアウトワード式の製紙用スクリーン装置である。
製紙用スクリーン装置Ｓは、製紙原料を受け入れると共に、製紙原料の入口部２、Ｎ（Ｎ≧２）個の精選出口部３、異物出口部４を有した１個の槽１０を備え、Ｎ（Ｎ≧２）個の精選出口部３は、本実施例では、４個である。
製紙原料の入口部２は、例えば、図２に示すように、槽１０の一方の側に設けられた第１の製紙原料の入口部２１、槽１０の一方の側と反対側の他方の側に設けられた第２の製紙原料の入口部２２、平面視、第１の製紙原料の入口部２１と第２の製紙原料の入口部２２との略中間に位置する第３の製紙原料の入口部２３を有する。
異物出口部４は、後述する中間部Ｍに位置する一次室１０Ａに異物出口部が設けられると共に、平面視、第１の製紙原料の入口部２１と第３の製紙原料の入口部２３との略中間に位置する第１の異物出口部４１、第３の製紙原料の入口部２３と第２の製紙原料の入口部２２との略中間に位置する第２の異物出口部４２を有する。
槽１０は、図１に示すように、垂直方向の高さより水平方向の長さが長くなっている。また、図２に示すように、スクリーン１の内側に後述する回転軸５に取り付けられた攪拌部材７が位置し、円筒形状のスクリ−ン１の両端開口部の中心と回転軸５の軸方向の中心とが一致するようになっている。
【００２１】
また、平面視、第１の製紙原料の入口部２１と第２の製紙原料の入口部２２との間にＮ（Ｎ≧２）個の円筒形状のスクリ−ン１が位置している。
このＮ（Ｎ≧２）個の円筒形状のスクリ−ン１は、槽１０内であって、回転軸５の外側に位置すると共に、回転軸５の長手方向に沿って間隔をおいて直列に配置されている。
Ｎ（Ｎ≧２）個の円筒形状のスクリ−ン１は、回転軸５の一端から他端に向かって、順次、配置された第１のスクリ−ン１１、第２のスクリ−ン１２〜第Ｎ（Ｎ≧２）のスクリ−ン１Ｎであり、 本実施例では、第１のスクリ−ン１１、第２のスクリ−ン１２、第３のスクリ−ン１３、第４のスクリ−ン１４の４個となっている。
第１のスクリ−ン１１、第２のスクリ−ン１２、第３のスクリ−ン１３、第４のスクリ−ン１４の各スクリーンは、両端面が開放したもので、側面に複数の開口部を備え、該開口部は、例えば、スリット、丸孔、棒状部材を環状に並設して形成された周知のものである。  
例えば、第１のスクリ−ン１１、第２のスクリ−ン１２、第３のスクリ−ン１３、第４のスクリ−ン１４の開口部をスリットで形成した場合、第１のスクリ−ン１１、第２のスクリ−ン１２のスリット幅を０．２５ｍｍ、第３のスクリ−ン１３のスリット幅を０．２０ｍｍ、第４のスクリ−ン１４のスリット幅を０．１５ｍｍとし、第１のスクリ−ン１１、第２のスクリ−ン１２を一次スクリーン、第３のスクリ−ン１３を二次スクリーン、第４のスクリ−ン１４を三次スクリーンと構成することができる。この構成の場合、例えば、図２に示すように、第１の精選通路Ｆ１と第２の精選通路Ｆ２を中途で結合した結合Ｆを介して、通路板紙（ボール紙）の中層の原料を抄紙機のヘッドボックスＨ１に、第３の精選通路Ｆ３を介して、板紙（ボール紙）の裏層の原料を抄紙機のヘッドボックスＨ２に、第４の精選通路Ｆ４を介して、板紙（ボール紙）の表層の原料を、抄紙機のヘッドボックスＨ３に、それぞれ導くようにすることができる。
また、第１のスクリ−ン１１、第２のスクリ−ン１２、第３のスクリ−ン１３、第４のスクリ−ン１４の各スクリーン１の中途には、各スクリーン１内の製紙原料に水を供給して製紙原料の濃度を希釈させる第１、第２、第３、第４の希釈水通路Ｋ１、Ｋ２、Ｋ３、Ｋ４が、それぞれ設けられている。
【００２２】
また、図２に示す５は１個の回転軸で、回転軸５は、槽１０内であって、略水平方向に回転自在に軸受け６、６で支持されている。
なお、回転軸５の回転は、図３に示すように、モーター５０の回転をプーリ５１、５２、ベルト５３を介して伝達されている。
また、図２に示す７はＮ（Ｎ≧２）個の攪拌部材で、攪拌部材７は、回転軸５に取り付けられると共に、Ｎ（Ｎ≧２）個の円筒形状のスクリ−ン１の内側に近接して設けられ、製紙原料を攪拌するものである。
Ｎ（Ｎ≧２）個の攪拌部材７は、回転軸５の一端から他端に向かって、順次、配置された第１の攪拌部材７１、第２の攪拌部材７２〜第Ｎの攪拌部材７Ｎであり、本実施例では、第１の攪拌部材７１、第２の攪拌部材７２、第３の攪拌部材７３、第４の攪拌部材７４の４個となっている。
そして、第１〜第Ｎの攪拌部材７１〜７Ｎにそれぞれ対向するように、順次、第１のスクリ−ン１１〜第Ｎのスクリ−ン１Ｎが配置され、つまり、本実施例では、第１の攪拌部材７１が第１のスクリ−ン１１に、第２の攪拌部材７２が第２のスクリ−ン１２に、第３の攪拌部材７３が第３のスクリ−ン１３に、第４の攪拌部材７４が第４のスクリ−ン１４に、それぞれ対向するように配置されている。
第１〜第Ｎ（Ｎ≧２）の攪拌部材７１〜７Ｎは、回転軸５に取り付けられ、外周に突起Ｔを設けている。
この第１〜第Ｎ（Ｎ≧２）の攪拌部材７１〜７Ｎの内、隣接する攪拌部材７の間の部位は、中間部Ｍであり、該中間部Ｍは、突起Ｔが設けられていない。
中間部Ｍは、本実施例では、第１の攪拌部材７１と第２の攪拌部材７２との間の部位である第１の中間部Ｍ１、第２の攪拌部材７２と第３の攪拌部材７３との間の部位である第２の中間部Ｍ２、第３の攪拌部材７３と第４の攪拌部材７４との間の部位である第３の中間部Ｍ３を有している。
【００２３】
槽１０内を区画する第１〜第Ｎのスクリ−ン１１〜１Ｎの内側は、第１の室１０Ａである。また、図２に示す８はスクリ−ン１を通過して精選された製紙原料、つまり、異物を除去された製紙原料を受け入れる精選室で、精選室８は、第１〜第Ｎの精選室８１〜８Ｎを備えている。第１〜第Ｎの精選室８１〜８Ｎは、槽１内であって、第１〜第Ｎのスクリ−ン１１〜１Ｎの外側にそれぞれ区画され、回転軸５の一端から他端に向かって、順次、配置され、本実施例では、第１の精選室８１、第２の精選室８２、第３の精選室８３、第４の精選室８４の４個となっている。
また、第１の精選室８１、第２の精選室８２、第３の精選室８３、第４の精選室８４の製紙原料は、第１の精選通路Ｆ１、第２の精選通路Ｆ２、第３の精選通路Ｆ３、第４の精選通路Ｆ４を介して槽１０の外へとそれぞれ導かれるようになっている。
そして、製紙原料の入口部２（例えば、第１の製紙原料の入口部２１、第２の製紙原料の入口部２２、第３の製紙原料の入口部２３）、異物出口部４（例えば、第１の異物出口部４１、第２の異物出口部４２）を一次室１０Ａに、第１〜第Ｎの精選出口部３１〜３Ｎを第１〜第Ｎの精選室８１〜８Ｎに、それぞれ臨ませている。本実施例では、第１の精選出口部３１が第１の精選室８１に、第２の精選出口部３２が第２の精選室８２に、第３の精選出口部３３が第３の精選室８３に、第４の精選出口部３４が第４の精選室８４に、それぞれ臨んでいる。
また、一次室１０Ａの第１の中間部Ｍ１に臨む位置に第１の異物出口部４１が、一次室１０Ａの第２の中間部Ｍ２に臨む位置に第３の製紙原料の入口部２３が、一次室１０Ａの第３の中間部Ｍ３に臨む位置に第２の異物出口部４２が、それぞれ設けられている。
また、第１の異物出口部４１に接続された第１の異物通路Ｔ１には第１の流量調整バルブＶ１が、第２の異物出口部４２に接続された第２の異物通路Ｔ２には第２の流量調整バルブＶ２が、それぞれ設けられている。
【００２４】
従って、上述した製紙用スクリーン装置Ｓにおいて、第１の製紙原料の入口部２１、第２の製紙原料の入口部２２、第３の製紙原料の入口部２３から、製紙原料が槽１０内に供給される。
槽１０内において、回転軸５の回転により、第１〜第Ｎのスクリ−ン１１〜１Ｎ（具体的には、１１〜１４）に対して、第１〜第Ｎの攪拌部材７１〜７Ｎ（具体的には、７１〜７４）による加圧・負圧の交互作用により、製紙原料中の有用繊維は第１〜第Ｎのスクリ−ン１１〜１Ｎの開口部を通過して第１〜第Ｎの精選室８１〜８Ｎ（具体的には、８１〜８４）へと導かれ、製紙原料中の異物は、第１〜第Ｎのスクリ−ン１１〜１Ｎの開口部を通過できず、第１の流量調整バルブＶ１、第２の流量調整バルブＶ２を介して槽１０外へと導かれる。
【００２５】
上述した製紙用スクリーン装置Ｓによれば、製紙原料をスクリーン１の内側から外側に向かわせて精選する製紙用スクリーン装置Ｓにあって、槽１０内を区画する第１〜第Ｎのスクリ−ン１１〜１Ｎの内側を第１の室１０Ａとして、該第１の室１０Ａを共通化し、１個の槽１０に第１〜第Ｎの精選室８１〜８Ｎをそれぞれ設けているため、従来のように、製紙原料をスクリーン１の内側から外側に向かわせて精選する製紙用スクリーン装置にあって、精選室８を製紙用スクリーン装置毎に個別的に設けていたものに比べ、設置スペースを小さくすることができ、しかも、個別毎に設けていた配管、配管毎に設けていたポンプ等を不要とすることができる等の効果を有する。
【００２６】
上述した実施例においては、製紙原料の入口部２１、２２、２３、異物出口部４１、４２とそれぞれ複数設けたが、本願発明にあっては、これに限らず、製紙原料の入口部２１及び異物出口部４１は、それぞれ単数でも良い（図４参照）。
即ち、図４記載の製紙用スクリーン装置Ｓの槽１０において、槽１０の一方の側に製紙原料の入口部２（２１）、槽１０の一方の側と反対側の他方の側に異物出口部４（４１）、をそれぞれ設けたものである。
図４において、上述した図１乃至図３記載の製紙用スクリーン装置Ｓと同一部分に同一符号を付して、説明の一部を省略する。
図４記載の製紙用スクリーン装置Ｓにおいて、製紙原料の入口部２（２１）から、製紙原料が槽１０内に供給される。槽１０内において、回転軸５の回転により、第１〜第Ｎのスクリ−ン１１〜１Ｎ（具体的には、１１〜１４）に対して、第１〜第Ｎの攪拌部材７１〜７Ｎ（具体的には、７１〜７４） による加圧・負圧の交互作用により、製紙原料中の有用繊維は第１〜第Ｎのスクリ−ン１１〜１Ｎの開口部を通過して第１〜第Ｎの精選室８１〜８Ｎ（具体的には、８１〜８４）へと導かれ、製紙原料中の異物は、第１〜第Ｎのスクリ−ン１１〜１Ｎの開口部を通過できず、第１の流量調整バルブＶ１を介して槽１０外へと導かれる。
この実施例の製紙用スクリーン装置Ｓにおいても、上述した製紙用スクリーン装置Ｓと同様に、製紙原料をスクリーン１の内側から外側に向かわせて精選する製紙用スクリーン装置Ｓにあって、槽１０内を区画する第１〜第Ｎのスクリ−ン１１〜１Ｎの内側を第１の室１０Ａとして、該第１の室１０Ａを共通化し、１個の槽１０に第１〜第Ｎの精選室８１〜８Ｎをそれぞれ設けているため、従来のように、製紙原料をスクリーン１の内側から外側に向かわせて精選する製紙用スクリーン装置にあって、精選室８を製紙用スクリーン装置毎に個別的に設けていたものに比べ、設置スペースを小さくすることができ、しかも、個別毎に設けていた配管、配管毎に設けていたポンプ等を不要とすることができる等の効果を有する。
図４記載の製紙用スクリーン装置Ｓにおいては、スクリ−ン８及び攪拌部材７の数は、４個であるが、上述した実施例と同様、その数Ｎは、Ｎ≧２であれば良い。なお、第１〜第Ｎのスクリ−ン１１〜１Ｎの開口部の形状、寸法、第１〜第Ｎのスクリ−ン１１〜１Ｎの水平方向の寸法は、適宜設定されるが、望ましくは、第１〜第Ｎのスクリ−ン１１〜１Ｎの開口部の形状、寸法が同じとした場合、第１〜第Ｎのスクリ−ン１１〜１Ｎの水平方向の寸法は、異物出口部４（４１）に向かって、次第に小さくするのが良い。
【００２７】
上述した実施例においては、製紙用スクリーン装置Ｓは、第１〜第Ｎ（Ｎ≧２）のスクリ−ン１１〜１Ｎに対して第１〜第Ｎ（Ｎ≧２）の攪拌部材７１〜７Ｎが対応、つまり、第１のスクリ−ン１１に対して第１の攪拌部材７１が、第２のスクリ−ン１２に対して第２の攪拌部材７２が、第３のスクリ−ン１３に対して第３の攪拌部材７３が、第４のスクリ−ン１４に対して第４の攪拌部材７４が、それぞれ対応するようにしたが、本願発明にあっては、これに限らず、完成前にあっては、攪拌部材７及びスクリーン１は、少なくとも２個設置され（具体的には、図５記載の第２のスクリーン１２、第３のスクリーン１３、第２の攪拌部材７２、第３の攪拌部材７３）、Ｎ−２個の攪拌部材７及びＮ−２個のスクリ−ン１は、非設置で、回転軸５は、Ｎ−２個の攪拌部材７を取り付ける大きさを有し、槽１０は、Ｎ−２個のスクリ−ン１を取り付ける大きさを有し、Ｎ≧３である製紙用スクリーン装置Ｓであれば良い。
例えば、図５において、Ｎは４であり、増産が生じた場合に、封止していた製紙原料の入口部２１、２２に図示しない配管を、回転軸５に２個の攪拌部材７（７１、７４）を、槽１０に２個のスクリ−ン１（１１、１４）をそれぞれ取り付けて、図２記載の製紙用スクリーン装置Ｓとして、迅速に対応することができるようにすることができる。
【００２８】
次に示す実施例（図６及び図７）は、一次室１０Ａの中間部Ｍに製紙原料の流れをコントロールする流量調整部Ａを設けている。
流量調整部Ａは、例えば、複数の開口部ａ１を有した固定部材Ａ１と複数の開口部ａ２を有した可動部材Ａ２とからなり、固定部材Ａ１と可動部材Ａ２とは対向し、開口部ａ１と開口部ａ２との重なり具合を調整することにより、製紙原料の流れをコントロールすることができる。                                       
なお、可動部材Ａ２は、可動部材Ａ２の槽１０外に位置する部位にラックＲを設け、ラックＲに螺合するピニオンＨの正逆の回転により可動するものである。ピニオンＨは、モータＭＡにより正逆に回転するようになっている。
また、上述した中間部Ｍは、第１〜第Ｎ（Ｎ≧２）の攪拌部材７１〜７Ｎの内、隣接する攪拌部材７の間の部位であり、該中間部Ｍは攪拌部材７が設けられていない。
その結果、一次室１０Ａの中間部Ｍに製紙原料の流れをコントロールする流量調整部Ａが設けられているため、 製紙原料の量をコントロールして第１〜第Ｎのスクリ−ン１１〜１Ｎに供給することができる。
【００２９】
次に示す実施例（図８乃至図１３）は、消耗品である第１〜第Ｎ（Ｎ≧２）のスクリ−ン１１〜１Ｎを容易に交換できるようにしたものである。
そのために、槽１０及びスクリ−ン１をそれぞれ分割、例えば、２分割できる構成とし、図８乃至図１０に示すように、製紙用スクリーン装置Ｓは、槽１０を一方の槽１０Ｄと他方の槽１０ｄとすると共に、一方の槽１０Ｄと他方の槽１０ｄをヒンジ２０を介して接続して、槽１０を開閉できるようにしてある。槽１０を開放した後、分割したスクリ−ン１の一方１ｄを槽１０外へ導き（図９参照）、その後、槽１０内にある割したスクリ−ン１の一方他方１Ｄの分割したスクリ−ン１を回動した後、分割したスクリ−ン１の他方１Ｄを槽１０外へ導くようにする（図１０参照）。
また、ヒンジ２０を使用せず、図１１乃至図１３に示すように、槽１０を第１の槽１０ｄ、第２の槽１０Ｄと分割し、第１の槽１０ｄ、第２の槽１０Ｄとを図示しないボルトで脱着する構成としても良い。
【００３０】
上述した実施例は、槽１０を長手方向に設けて製紙用スクリーン装置Ｓを構成したが、本願発明はこれに限らず、図１４に示すように、槽１０を複数並列的に、例えば、槽１０を２個並列的に設けて製紙用スクリーン装置Ｓを構成するようにしても良い。
図１４において、上述した図１乃至図３記載の製紙用スクリーン装置Ｓと同一部分に同一符号を付して、説明の一部を省略する。
【符号の説明】
【００３１】
Ｓ      製紙用スクリーン装置
１      スクリーン
１０    槽
１０Ａ  第１の室
１１    第１のスクリ−ン
１Ｎ    第Ｎのスクリ−ン
８１    第１の精選室
８Ｎ    第Ｎの精選室〜
【図１】
2013087397.tif 000003
【図２】
2013087397.tif 000004
【図３】
2013087397.tif 000005
【図４】
2013087397.tif 000006
【図５】
2013087397.tif 000007
【図６】
2013087397.tif 000008
【図７】
2013087397.tif 000009
【図８】
2013087397.tif 000010
【図９】
2013087397.tif 000011
【図１０】
2013087397.tif 000012
【図１１】
2013087397.tif 000013
【図１２】
2013087397.tif 000014
【図１３】
2013087397.tif 000015
【図１４】
2013087397.tif 000016